(57)【要約】【課題】  データセンタのような管理装置の課金処理の負荷を分散して適正な、かつ効率的なセンサネットワークに関するサービスを行なうことができるセンサネットワークシステム、管理装置、センサ、利用者端末、センサ方法およびプログラムを提供する。【解決手段】  利用者端末１３０等は、センサ１００ａ等から情報を受け取る際に、管理装置１４０の認証部１４１から認証を受けて、その利用料金は課金部１４３によって算定される。【選択図】  図１
2005321934.tif 000002
【特許請求の範囲】
【請求項１】
利用者端末と、管理装置と、前記利用者端末に情報を提供するセンサがネットワークを介してそれぞれが接続されているセンサネットワークシステムであって、
前記管理装置は、前記センサから情報を受け取ることを要求する前記利用者端末の認証を前記センサから情報を受け取ることが可能な前記利用者端末が登録されている照合テーブルを参照して行なう認証手段と、
前記利用者端末が、前記センサから情報を受け取るための利用料金を前記センサと料金が対応付けられて登録されている度数テーブルを参照して算定する課金手段を備えることを特徴とするセンサネットワークシステム。
【請求項２】
前記照合テーブルは、前記利用者端末が前記センサから情報を受け取ることが可能な期間の情報がさらに登録されていることを特徴とする請求項１記載のセンサネットワークシステム。
【請求項３】
前記度数テーブルは、前記利用者端末が前記センサから受け取る情報の量と料金が対応付けられて登録されていることを特徴とする請求項１または２記載のセンサネットワークシステム。
【請求項４】
センサから情報を受け取ることを要求する利用者端末の認証を前記センサから情報を受け取ることが可能な前記利用者端末が登録されている照合テーブルを参照して行なう認証手段と、
前記利用者端末が、前記センサから情報を受け取るための利用料金を前記センサと料金が対応付けられて登録されている度数テーブルを参照して算定する課金手段を備えることを特徴とする管理装置。
【請求項５】
前記照合テーブルは、前記利用者端末が前記センサから情報を受け取ることが可能な期間の情報がさらに登録されていることを特徴とする請求項４記載の管理装置。
【請求項６】
前記度数テーブルは、前記利用者端末が前記センサから受け取る情報の量と料金が対応付けられて登録されていることを特徴とする請求項４または５記載の管理装置。
【請求項７】
管理装置によって、情報を受け取ることが可能な利用者端末が登録されている照合テーブルを参照して行なわれた認証を受けた前記利用者端末にのみ情報を提供することを特徴とするセンサ。
【請求項８】
前記照合テーブルは、前記利用者端末が前記センサから情報を受け取ることが可能な期間の情報がさらに登録されていることを特徴とする請求項７記載のセンサ。
【請求項９】
前記センサから情報を受け取ることを要求するときに、前記センサから情報を受け取ることが可能であることの認証を受けるために前記管理装置に識別情報を送信する識別情報送信手段と、
前記センサから情報を受け取る受信手段と、
前記管理装置によって、前記センサから情報を受け取るための利用料金を前記センサと料金が対応付けられて登録されている度数テーブルを参照して算定された課金情報を受け取る手段を備えることを特徴とする利用者端末。
【請求項１０】
前記度数テーブルは、前記利用者端末が前記センサから受け取る情報の量と料金が対応付けられて登録されていることを特徴とする請求項９記載の利用者端末。
【請求項１１】
ネットワークを介してそれぞれが接続されている利用者端末と、管理装置と、前記利用者端末に情報を提供するセンサを利用したセンサ方法であって、
前記利用者端末が、前記センサから情報を受け取ることを前記管理装置に対して識別情報を送信するとともに要求するステップを有し、
前記管理装置が、前記センサから情報を受け取ることを要求する前記利用者端末の認証を前記センサから情報を受け取ることが可能な前記利用者端末が登録されている照合テーブルを参照して行なうステップと、
前記利用者端末の認証結果情報を前記センサに通知するステップと、
前記利用者端末が前記センサから情報を受け取るための利用料金を前記センサと料金が対応付けられて登録されている度数テーブルを参照して算定するステップと、
前記利用者端末に算定された料金情報を通知するステップを有し、
前記センサが、前記利用者端末に情報を提供するステップを有することを特徴とするセンサ方法。
【請求項１２】
前記照合テーブルは、前記利用者端末が前記センサから情報を受け取ることが可能な期間の情報がさらに登録されていることを特徴とする請求項１１記載のセンサ方法。
【請求項１３】
ネットワークを介してそれぞれが接続されている利用者端末と、管理装置と、前記利用者端末に情報を提供するセンサを利用したセンサ方法であって、
前記利用者端末が、前記センサから情報を受け取ることを前記管理装置に対して識別情報を送信するとともに要求するステップを有し、
前記管理装置が、前記センサから情報を受け取ることを要求する前記利用者端末の認証を前記センサから情報を受け取ることが可能な前記利用者端末が登録されている照合テーブルを参照して行なうステップと、
前記利用者端末の認証結果情報を前記センサに通知するステップと、
前記センサが、前記利用者端末に情報を提供するステップと、
前記管理装置に前記利用者端末が前記センサから受け取った情報の量を通知するステップを有し、
前記管理装置が、前記利用者端末が、前記センサから情報を受け取るための利用料金を前記利用者端末が前記センサから受け取る情報の量と料金が対応付けられて登録されている度数テーブルを参照して算定するステップと、
前記利用者端末に算定された料金情報を通知するステップをさらに有することを特徴とするセンサ方法。
【請求項１４】
利用者端末に、センサから情報を受け取ることを管理装置に対して識別情報を送信するとともに要求するステップを実行させ、
前記管理装置に、前記センサから情報を受け取ることを要求する前記利用者端末の認証を前記センサから情報を受け取ることが可能な前記利用者端末が登録されている照合テーブルを参照して行なうステップと、
前記利用者端末の認証結果情報を前記センサに通知するステップと、
前記利用者端末が前記センサから情報を受け取るための利用料金を前記センサと料金が対応付けられて登録されている度数テーブルを参照して算定するステップと、
前記利用者端末に算定された料金情報を通知するステップを実行させ、
前記センサに、前記利用者端末に情報を提供するステップを実行させることを特徴とするプログラム。
【請求項１５】
前記照合テーブルは、前記利用者端末が前記センサから情報を受け取ることが可能な期間の情報がさらに登録されていることを特徴とする請求項１４記載のプログラム。
【請求項１６】
利用者端末に、センサから情報を受け取ることを管理装置に対して識別情報を送信するとともに要求するステップを実行させ、
前記管理装置に、前記センサから情報を受け取ることを要求する前記利用者端末の認証を前記センサから情報を受け取ることが可能な前記利用者端末が登録されている照合テーブルを参照して行なうステップと、
前記利用者端末の認証結果情報を前記センサに通知するステップと、
前記センサが、前記利用者端末に情報を提供するステップと、
前記管理装置に前記利用者端末が前記センサから受け取った情報の量を通知するステップを実行させ、
前記管理装置に、前記利用者端末が、前記センサから情報を受け取るための利用料金を前記利用者端末が前記センサから受け取る情報の量と料金が対応付けられて登録されている度数テーブルを参照して算定するステップと、
前記利用者端末に算定された料金情報を通知するステップをさらに実行させることを特徴とするプログラム。
【発明の詳細な説明】
【技術分野】
【０００１】
本発明は、センサネットワークにおける課金処理の負荷が分散されたセンサネットワークシステム、管理装置、センサ、利用者端末、センサ方法およびプログラムに関する。
【背景技術】
【０００２】
ユビキタスネットワークの時代には、ネットワークに接続されたセンサが、あらゆる場所に設置され、様々な用途で使用される、これにより、センサネットワークシステムから、より多様な情報を得ることができるようになるとともに、センサネットワークシステムのセンサを、多様な情報の取得のために有効に活用できるようになる。そして、センサネットワークの価値が高まり、センサネットワークの普及を促すことができる。したがって、センサネットワークシステムの情報を有料で提供するサービス提供事業者が、サービス提供事業者とは異なる事業者または個人が運営もしくは設置場所を提供するようなセンサネットワークもしくはセンサの情報を、サービス利用者に対して統一的に提供するサービスを行なうことができる。
【０００３】
一方、センサおよびネットワークの設置および運営には多額の費用が発生するため、センサネットワークが収集する情報は、設置および運用者以外の利用者に有料で公開されることが望ましい。さらに、センサネットワークを使ったセンサ情報サービスの提供においては、センサを、例えば、市街地のような場所であれば、電柱、街路灯、個人の住宅、事業所等のあらゆる場所に設置することが必要となるが、そのような施設は、所有者の承諾がなければ設置することができない。したがって、上記のサービス提供事業を行なう場合には、サービス提供事業者が、センサ提供者のセンサが提供した情報量に応じて、センサ提供者に金銭等の報奨を提供することができるように、センサ提供者のセンサが提供した情報量を計測し、センサ提供者が提供した情報量に応じて、センサ提供者に報奨を与えることができるセンサネットワークシステムがある。
【０００４】
ここで、センサネットワークにおいて、自動車等に設置されたセンサから必要に応じて情報を通信手段を用いてデータセンタに発信し、データセンタは送られた情報を集計、加工してその情報を目的に合った機関に提供し、データセンタは各機関から料金を徴収することによって、具体的な情報をリアルタイムにかつ安価に収集でき、必要な状態に加工された情報を迅速に提供することができる技術が提案されている（例えば、特許文献１参照）。
【特許文献１】特開２００２−１１７１８４号公報
【発明の開示】
【発明が解決しようとする課題】
【０００５】
しかしながら、上述した従来例においては次のような問題点があった。
【０００６】
利用者の情報利用量に応じた課金を行なうために、サービス提供事業者側のデータセンタ等がデータ集計を行い課金処理を実行することとなり、多数のセンサおよび利用者側の端末等の要求が集中するとデータセンタ等の処理能力と比較して過大な負荷がかかる事態が発生するという問題点があった。
そこで、本発明は、データセンタのような管理装置の課金処理の負荷が分散されたセンサネットワークシステム、管理装置、センサ、利用者端末、センサ方法およびプログラムを提供することを目的とする。
【課題を解決するための手段】
【０００７】
本発明のセンサネットワークシステムは、管理装置が、センサから情報を受け取ることを要求する利用者端末の認証をセンサから情報を受け取ることが可能な利用者端末が登録されている照合テーブルを参照して行なう認証手段と、利用者端末が、センサから情報を受け取るための利用料金をセンサと料金が対応付けられて登録されている度数テーブルを参照して算定する課金手段を備える。
【０００８】
また、照合テーブルは、利用者端末がセンサから情報を受け取ることが可能な期間の情報がさらに登録されている。
【０００９】
また、度数テーブルは、利用者端末がセンサから受け取る情報の量と料金が対応付けられて登録されている。
【００１０】
本発明の管理装置は、センサから情報を受け取ることを要求する利用者端末の認証をセンサから情報を受け取ることが可能な利用者端末が登録されている照合テーブルを参照して行なう認証手段と、利用者端末が、センサから情報を受け取るための利用料金をセンサと料金が対応付けられて登録されている度数テーブルを参照して算定する課金手段を備える。
【００１１】
本発明のセンサは、管理装置によって、情報を受け取ることが可能な利用者端末が登録されている照合テーブルを参照して行なわれた認証を受けた利用者端末にのみ情報を提供する。
【００１２】
本発明の利用者端末は、センサから情報を受け取ることを要求するときに、センサから情報を受け取ることが可能であることの認証を受けるために管理装置に識別情報を送信する識別情報送信手段と、センサから情報を受け取る受信手段と、管理装置によって、センサから情報を受け取るための利用料金をセンサと料金が対応付けられて登録されている度数テーブルを参照して算定された課金情報を受け取る手段を備える。
【００１３】
本発明のセンサ方法は、ネットワークを介してそれぞれが接続されている利用者端末と、管理装置と、利用者端末に情報を提供するセンサを利用したセンサ方法であって、利用者端末が、センサから情報を受け取ることを管理装置に対して識別情報を送信するとともに要求するステップを有し、管理装置が、センサから情報を受け取ることを要求する利用者端末の認証をセンサから情報を受け取ることが可能な利用者端末が登録されている照合テーブルを参照して行なうステップと、利用者端末の認証結果情報をセンサに通知するステップと、利用者端末がセンサから情報を受け取るための利用料金をセンサと料金が対応付けられて登録されている度数テーブルを参照して算定するステップと、利用者端末に算定された料金情報を通知するステップを有し、センサが、利用者端末に情報を提供するステップを有する。
【００１４】
また、本発明のセンサ方法は、ネットワークを介してそれぞれが接続されている利用者端末と、管理装置と、前記利用者端末に情報を提供するセンサを利用したセンサ方法であって、利用者端末が、センサから情報を受け取ることを管理装置に対して識別情報を送信するとともに要求するステップを有し、管理装置が、センサから情報を受け取ることを要求する利用者端末の認証をセンサから情報を受け取ることが可能な利用者端末が登録されている照合テーブルを参照して行なうステップと、利用者端末の認証結果情報をセンサに通知するステップと、センサが、利用者端末に情報を提供するステップと、管理装置に利用者端末がセンサから受け取った情報の量を通知するステップを有し、管理装置が、利用者端末が、センサから情報を受け取るための利用料金を利用者端末がセンサから受け取る情報の量と料金が対応付けられて登録されている度数テーブルを参照して算定するステップと、利用者端末に算定された料金情報を通知するステップをさらに有する。
【００１５】
本発明のプログラムは、利用者端末に、センサから情報を受け取ることを管理装置に対して識別情報を送信するとともに要求するステップを実行させ、管理装置に、センサから情報を受け取ることを要求する利用者端末の認証をセンサから情報を受け取ることが可能な利用者端末が登録されている照合テーブルを参照して行なうステップと、利用者端末の認証結果情報をセンサに通知するステップと、利用者端末がセンサから情報を受け取るための利用料金をセンサと料金が対応付けられて登録されている度数テーブルを参照して算定するステップと、利用者端末に算定された料金情報を通知するステップを実行させ、センサに、利用者端末に情報を提供するステップを実行させる。
【００１６】
また、本発明のプログラムは、利用者端末に、センサから情報を受け取ることを管理装置に対して識別情報を送信するとともに要求するステップを実行させ、管理装置に、センサから情報を受け取ることを要求する利用者端末の認証をセンサから情報を受け取ることが可能な利用者端末が登録されている照合テーブルを参照して行なうステップと、利用者端末の認証結果情報をセンサに通知するステップと、センサが、利用者端末に情報を提供するステップと、管理装置に利用者端末が前記センサから受け取った情報の量を通知するステップを実行させ、管理装置に、利用者端末が、センサから情報を受け取るための利用料金を利用者端末がセンサから受け取る情報の量と料金が対応付けられて登録されている度数テーブルを参照して算定するステップと、利用者端末に算定された料金情報を通知するステップをさらに実行させる。
【発明の効果】
【００１７】
本発明のセンサネットワークシステム、管理装置、センサ、利用者端末、センサ方法およびプログラムによれば、データセンタのような管理装置の課金処理の負荷を分散して適正な、かつ効率的なセンサネットワークに関するサービスを提供することができる。
【発明を実施するための最良の形態】
【００１８】
次に、本発明の一実施の形態の構成について図面を参照して説明する。
【００１９】
図１を参照すると、本実施形態におけるセンサネットワークシステムは、ネットワークセンサである複数の、センサａ、センサｂ、センサｃ、センサｎ（ｎは任意の正の整数）と、複数の利用者端末１３０、１３１と、管理装置１４０から構成されている。
【００２０】
センサａ、センサｂ、センサｃ、センサｎと利用者端末１３０、１３１と管理装置１４０はネットワーク１１０を介して接続されている。
【００２１】
センサａ、センサｂ、センサｃ、センサｎは、外界の情報を捉え、ネットワーク１１０を介してその捉えた情報を信号として利用者端末１３０、１３１に対して伝達する機能を有している。
【００２２】
センサ１００は、一意に識別可能なＩＤ等の識別情報を有する。ＩＤは、例えば、ＴＣＰ／ＩＰ（Transmission Control Protocol/Internet Protocol）のＩＰアドレスであってもよい。
【００２３】
センサネットワークに用いられるセンサ１００の機能は、例えば、光電センサ、ビームセンサ、超音波センサ、赤外線センサ、振動センサ、加速度センサ、マイクロホン、音感センサ、音響センサ、ビデオカメラ、温度センサ、煙センサ、湿度センサ、ＧＰＳ（Global Positioning Systems）、傾斜センサ、照明ＯＮ／ＯＦＦセンサ、水漏センサ、雨量計、風速計、電流センサ、電圧センサ、時計等である。ズームおよびオートフォーカス機能等を有するビデオカメラ等の能動型センサを含む。
【００２４】
センサ１００の報知方式は、周期型、イベント型、ポーリング型いずれであってもよい。周期型は、所定の期間ごとに定期的に検知結果を報知する方式である。イベント型は、所定の事象を検知すると検知結果を報知する方式である。ポーリング型は、管理装置の指示に基づいて検知結果を報知する方式である。
【００２５】
データ通信形態は、無線通信でも、有線通信であってもよい。無線通信は、例えば、微弱電波を用いる無線ＬＡＮ（Local Area Network）およびＢｌｕｅｔｏｏｔｈ（登録商標）、近距離無線を用いる特定小電力無線、近距離赤外線通信等である。有線通信は、例えば、ＬＡＮ、専用線等を用いる通信である。
【００２６】
通信方式は、双方向であっても、単方向であってもよい。センサ１００が利用者端末１３０、１３１の制御信号等による制御を受ける場合には、双方向となる。一方、センサ１００が利用者端末１３０、１３１に対して一方的に信号を送信する場合には、単方向となる。
【００２７】
なお、センサ１００と利用者端末１３０、１３１の間のデータ通信は、無手順方式であってもよい。センサ１００から利用者端末１３０、１３１への検知データは、アナログ電流またはアナログ電圧等であってもよい。利用者端末１３０、１３１は、サンプリングまたはＡ／Ｄ変換によりアナログ信号をデジタル信号へ変換してもよい。
【００２８】
利用者端末１３０、１３１は、例えば、パーソナルコンピュータ、携帯電話等の情報処理装置である。ソフトウエアと組み合わされて、センサ１００から情報を受け取り、何らかの処理を行なう機能を有している。情報を加工して、目的に応じて表示およびその他の処理を行なう機能を有していてもよい。
【００２９】
管理装置１４０は、認証部１４１と、照合テーブル１４２と、課金部１４３と、度数テーブル１４４を備えている。
【００３０】
認証部１４１は、利用者端末１３０、１３１がサービスを受けるのに適切なものであるか否かを判断する機能を有している。
【００３１】
照合テーブル１４２は、認証部１４１の認証判断を助けるためのデータを格納している。例えば、利用者端末１３０、１３１のユーザＩＤおよびパスワードを記憶していてもよい。
【００３２】
課金部１４３は、利用者端末１３０、１３１のセンサネットワークサービスの利用に応じた料金を課す機能を有している。
【００３３】
度数テーブル１４４は、課金部１４３が課金を行なう際の判断資料となるデータを格納している。各センサを利用するための料金がそのセンサに結び付けられて記憶されていてもよい。
【００３４】
また、ネットワーク１１０は、インターネット、モバイルデータ通信サービス等のワイヤレスパケット通信、ＩＳＤＮ（Integrated Services Digital Network）または携帯電話回線等の公衆回線であってもよい。構成手段に制限はなく、その一部または全部が有線であっても無線であってもよく、必要に応じてネットワークを接続するための線が不要であるマルチホップ無線ネットワークを使用してもよい。
【００３５】
次に、図２〜図４を参照して、本実施形態における三種類の処理動作のフローを詳細に説明する。なお、利用者端末１３０がセンサａから情報を得る場合を想定して以下の説明を行なう。
【００３６】
まず、第一の種類の処理動作について図２を参照すると、利用者端末１３０は、センサ１００ａからセンサ情報を読み出すために、管理装置１４０に対して、センサ情報読み出し要求信号を送信する（Ｓ２０１）。
【００３７】
管理装置１４０は、認証部１４１によってセンサ情報読み出し要求信号を送信してきた利用者端末１３０がサービスの提供を受けることができるものであるか否かの認証を行なう（Ｓ２０２）。この際、照合テーブル１４２に格納されているデータとの照合が行なわれてもよい。ここで、照合テーブル１４２は、例えば、サービスの提供を受けることが可能なセンサの一覧表形式であってもよい。
【００３８】
管理装置１４０は、利用者端末１３０の認証が終了すると、まず、課金部１４３によって度数テーブル１４４を参照して、利用者端末１３０がセンサ１００ａからの情報を取得するためにかかる利用料金を算定することにより課金処理を行なう（Ｓ２０３）。ここで、度数テーブル１４４は、例えば、各センサごとに、そのセンサの機能、設置場所、稼動時間等に応じて料金が設定されていてもよい。次に、その利用者端末１３０のＩＤ等をセンサ１００ａに通知することによってサービスを受けるのに適正である認証が完了していることを知らせる（Ｓ２０４）。
【００３９】
認証が完了している利用者端末１３０からセンサ情報読み出し要求信号を受信したセンサ１００ａは、センサ情報を利用者端末１３０に対して送信する（Ｓ２０５）。センサ情報読み出し要求信号は、管理装置１４０に対するセンサ情報読み出し要求信号の送信とともにセンサ１００ａに対しても送信されて、認証完了通知を受け取った時点で受け付けることであっても、認証完了通知が利用者端末１３０に対しても行なわれ、その通知を受け取った時点で利用者端末１３０からセンサ１００ａに対して送信されることであってもよい。
【００４０】
利用者端末１３０は、センサ１００ａからセンサ情報を受信する（Ｓ２０６）。
【００４１】
上記の第一の種類の処理動作によれば、センサ情報は、管理装置を経由することなく利用者端末１３０とセンサ１００ａ間の直接の交信により送受信されるため、管理装置の処理負担が軽減される。
【００４２】
次に、第二の種類の処理動作について図３を参照すると、上記の第一の種類の処理動作のうちのステップ２０４に当たるステップ３０４で、利用者端末１３０のＩＤ等をセンサ１００ａに通知する際に、利用者端末１３０がサービスの提供を受けることが有効な期間に関する情報もセンサ１００ａに通知する点が異なり、その他の処理は上記の第一の種類の処理と同様である。
【００４３】
ここで、有効期間は、照合テーブル１４２に利用者端末と結び付けられて格納されていてもよい。
【００４４】
上記の第二の種類の処理動作によれば、センサ１００ａは、利用者端末１３０の利用が有効な期間内における要求にのみ応答すればよく、サービス提供に対する課金のための適正なルールが明確となる。
【００４５】
そして、第三の種類の処理動作について図４を参照すると、利用者端末１３０は、センサ１００ａからセンサ情報を読み出すために、管理装置１４０に対して、センサ情報読み出し要求信号を送信する（Ｓ４０１）。
【００４６】
管理装置１４０は、認証部１４１によってセンサ情報読み出し要求信号を送信してきた利用者端末１３０がサービスの提供を受けることができるものであるか否かの認証を行なう（Ｓ４０２）。この際、照合テーブル１４２に格納されているデータとの照合が行なわれてもよい。ここで、照合テーブル１４２は、例えば、サービスの提供を受けることが可能なセンサの一覧表形式であってもよい。
【００４７】
管理装置１４０は、利用者端末１３０の認証が終了すると、その利用者端末１３０のＩＤ等をセンサ１００ａに通知することによってサービスを受けるのに適正である認証が完了していることを知らせる（Ｓ４０３）。
【００４８】
認証が完了している利用者端末１３０からセンサ情報読み出し要求信号を受信したセンサ１００ａは、センサ情報を利用者端末１３０に対して送信し（Ｓ４０４）、利用者端末１３０は、センサ１００ａからセンサ情報を受信する（Ｓ４０５）。センサ情報読み出し要求信号は、管理装置１４０に対するセンサ情報読み出し要求信号の送信とともにセンサ１００ａに対しても送信されて、認証完了通知を受け取った時点で受け付けることであっても、認証完了通知が利用者端末１３０に対しても行なわれ、その通知を受け取った時点で利用者端末１３０からセンサ１００ａに対して送信されることであってもよい。
【００４９】
センサ１００ａは、センサ情報量を管理装置１４０に対して通知し、管理装置１４０は、センサ１００ａからセンサ情報量を受け取る（Ｓ４０６）。
【００５０】
管理装置１４０は、課金部１４３によって度数テーブル１４４を参照して、利用者端末１３０がセンサ１００ａからの情報を取得するためにかかる利用料金を算定することにより課金処理を行なう（Ｓ４０７）。ここで、度数テーブル１４４は、例えば、センサ情報量に比例して高額となるように設定された料金情報が格納されていてもよい。
【００５１】
管理装置１４０は、課金情報を利用者端末１３０に対して通知し、利用者端末１３０は、管理装置１４０から課金情報を受け取る（Ｓ４０８）。
【００５２】
上記の第三の種類の処理動作によれば、利用回数に応じた一律の課金でなく、センサ情報の情報量に応じた従量課金が可能となり、サービスの利用者間の公平が図られた課金処理を実現することができる。
【００５３】
なお、上述する実施の形態は、本発明の好適な実施の形態であり、本発明の要旨を逸脱しない範囲内において種々変更実施が可能である。例えば、複数のセンサのうち一つが管理装置としての機能を有していてもよい。
【図面の簡単な説明】
【００５４】
【図１】本発明の実施形態におけるセンサネットワークの概略構成を示す図である。
【図２】第一の種類の課金処理の動作を示すシーケンス図である。
【図３】第二の種類の課金処理の動作を示すシーケンス図である。
【図４】第三の種類の課金処理の動作を示すシーケンス図である。
【符号の説明】
【００５５】
１００ａ、１００ｂ、１００ｃ、１００ｎ    センサ
１１０    ネットワーク
１３０、１３１    利用者端末
１４０    管理装置
１４１    認証部
１４２    照合テーブル
１４３    課金部
１４４    度数テーブル
【図１】
2005321934.tif 000003
【図２】
2005321934.tif 000004
【図３】
2005321934.tif 000005
【図４】
2005321934.tif 000006